(57)【要約】      （修正有）【課題】骨に刺入したピンの鉛直方向の装着位置調整が可能な創外固定器を提供する。【解決手段】骨に刺入したピンを保持する保持部材２と、保持部材を所定位置に装着すると共に、指関節に対応して屈曲可能に連結した２個の添木体１ａ，１ｂからなり、保持部材が凹状のピン挟持面２２を備えて添木体に装着される保持本体２ａと、保持本体に被冠してピンをネジ体２ｃで挟圧する押さえ体２ｂとで構成される創外固定器であり、保持本体２ａと同一形状のピン挟持面４２を備えると共に、所定のネジ体用の透孔４５を設けた所望の厚さの調整体４ａ、４ｂを、一方の保持部材の保持本体に積層して組み込んでなる。【選択図】図１
0003204228.tif 000002
【実用新案登録請求の範囲】
【請求項１】
骨に刺入したピンを保持する保持部材と、前記保持部材を所定位置に装着すると共に、指関節に対応して屈曲可能に連結した２個の添木体からなり、前記保持部材が凹状のピン挟持面を備えて添木体に装着される保持本体と、保持本体に被冠してピンをネジ挟圧する押さえ体とで構成される創外固定器において、保持体と同一形状のピン挟持面を備えると共に、所定のネジ体用の透孔を設けた所望の厚さの調整体を、一方の保持部材の保持本体に積層して組み込んでなることを特徴とする創外固定器。
【請求項２】
保持本体のピン挟持面の両側壁に側壁頂面に嵌合凹部を設け、押え体下面及び調整体下面に、前記嵌合凹部と対応する嵌合凸部を設けてなる請求項１記載の創外固定器。
【考案の詳細な説明】
【技術分野】
【０００１】
本考案は、指の骨折治療や骨延長施術に使用される創外固定器に関し、特に調整体の採用に係るものである。
【背景技術】
【０００２】
骨折治療や形態異常解消の骨延長施術のために、骨に刺入したピンが一定間隔を以て保持される創外固定器が知られている。例えば特許文献１（特開２００４−１６７０６２号公報）には、骨に刺入したピンを保持する保持部材（ピン支持部）と、前記保持部材を所定位置に装着すると共に、指関節に対応して屈曲可能に連結した２個の添木体（添設体）で構成されている。
【０００３】
また前記特許文献１及び特許文献２（特開２０１０−４２１４３号公報）に示されているように、保持部材（ピン支持部：骨固定部）は、添木体（添設体）に設けた螺子棒に脚部を螺合貫通して装着され、螺子棒の操作で保持部材の位置調整（ピン間隔）がなされている。
【０００４】
また特許文献３（特開２００６−１０１８９６号公報）には、ピンを保持部材（ピン支持体）に固定する手段として、保持本体（箱状部材）と押さえ体（架設部材）とでピンを挟持する構造が開示されている。
【先行技術文献】
【特許文献】
【０００５】
【特許文献１】特開２００４−１６７０６２号公報。
【特許文献２】特開２０１０−４２１４３号公報。
【特許文献３】特開２００６−１０１８９６号公報。
【考案の概要】
【考案が解決しようとする課題】
【０００６】
前記した公知の創外固定器は、間接を挟んで刺入されたピンの間隔は、前記特許文献などで開示された螺子棒の回転操作で間隔調整し、当該骨位置を保持することで治療対象部分の骨の成長の阻害とならないようにしている。
【０００７】
しかし例えば脱臼骨折、脱臼のような、その状態によっては一挙に治癒状態の骨の位置にピンを固定しておくことができない場合がある。即ち骨に刺入したピンを、単に骨を骨格方向に伸長して保持しておくばかりではなく、更に治癒の進行に伴ってピンの保持位置（保持高さ）を移動させなければならない。しかし従前の器具では、骨格方向（ピンの水平方向）の調整と、骨格と添木体の間隔（ピン軸方向）の調整は可能であるが、保持部材のピン保持高さ（ピンの鉛直方向）の調整ができない。ピンの保持高さを調整するは保持部材（ピン支持部）を取り換えなければならなく非常に不便であった。
【０００８】
そこで本考案は、当初に使用した創外固定器をそのままとし、調整体を選択使用することで、前記不便を解消することを提案したものである。
【課題を解決するための手段】
【０００９】
本考案に係る創外固定器は、骨に刺入したピンを保持する保持部材と、前記保持部材を所定位置に装着すると共に、指関節に対応して屈曲可能に連結した２個の添木体からなり、前記保持部材が凹状のピン挟持面を備えて添木体に装着される保持本体と、保持本体に被冠してピンをネジ挟圧する押さえ体とで構成される創外固定器において、保持体と同一形状のピン挟持面を備えると共に、所定のネジ体用透孔を設けた所望の厚さの調整体を、一方の保持部材の保持本体に積層して組み込んでなることを特徴とするものである。
【００１０】
而して指の骨折・脱臼治療等に際して、関節を挟んで骨に刺入したピンを、従前と同様に添木体に装着した保持本体と押さえ体でネジ挟圧して固定するが、特に完治状態の骨の位置と前記のピン固定位置がピンの鉛直方向にずれている場合には、そのずれた位置分の厚みを備えた調整体を保持本体に積み重ね、調整体と押さえ体との間でピンを位置させて挟圧固定する。そして治療の進行に伴って厚さの異なる調整体に取り換え、最終的に調整体を使用せずに完治状態の骨の位置と対応させるようにして本器具を使用するものである。
【考案の効果】
【００１１】
本考案の構成は上記のとおりで、厚さの異なる複数の調整体を用意しておき、調整体を選択使用することで、骨に刺入したピンの保持位置を変更しての治療が可能となったものである。
【図面の簡単な説明】
【００１２】
【図１】本考案の実施例の全体斜視図。
【図２】同（イ）は正面図、（ロ）は側面図。
【図３】同平面図（使用状態の説明図）。
【考案を実施するための形態】
【００１３】
次に本考案の実施形態について説明する。実施形態に示した創外固定器は基本的には従前の器具と同様に、２個１組の添木体１ａ，１ｂと、各々の添木体１ａ，１ｂに装着される保持部材２で構成され、適宜数のピン３及び複数の調整体４が付属する。
【００１４】
添木体１ａ，１ｂは、長尺枠状で、長手方向で指関節に対応して屈曲可能に連結したものである。連結構造は貫通軸孔１１を備え、且つ屈曲角度を固定できる固定螺子１２を備えたものであり、また枠内には、螺子棒１３を架設すると共に、螺子棒１３の尾端は外方に突出させて操作部１４とした。
【００１５】
保持部材２はピン３を固定するもので、保持本体２ａと押さえ体２ｂとネジ体２ｃで構成され、保持本体２ａは、背面に脚部２１を突設し、表面にピン挟持面２２及びその中央に螺孔２３を設けたものである。脚部２１は、添木体１ａ，１ｂの枠内に移動可能に納められると共に、螺子棒１３が螺合貫通したものであり、ピン挟持面２２は、滑り止めを施し器具長尺方向の側端に側壁２４を設けると共に、側壁２４の頂面に嵌合凹部２５を設けた。
【００１６】
押さえ体２ｂは、側壁２４に載置して架設されるもので、背面両端に嵌合凹部２５と対応する嵌合凸部２６を設け、螺孔２３と対応する位置に螺子体２ｃの頭部が納まり、ネジ挟圧可能とした挟圧透孔２７を設けてなる。
【００１７】
調整体４ａ，４ｂは、厚さの異なる複数部材としたもので、その形状は背面が押さえ体２ｂの背面と同一形状で、表面が保持本体２ａの表面（ピン挟持面２２）と同一形状としたものである。即ち背面には、嵌合凸部４１を設け、表面には滑り止めを施したピン挟持面４２と、側壁４３と嵌合凹部４４を設け、螺孔２３及び挟圧透孔２７と対応する位置にネジ体２ｃを貫通する透孔４５を設けたものである。
【００１８】
而して本創外固定器は、従前器具と同様に骨折・脱臼治療等に使用するもので、関節を挟んで骨Ａに刺入したピン３を、添木体１ａ，１ｂに装着した保持本体２ａと押さえ体２ｂの間に挟み、ネジ体２ｃを螺孔２３に螺合緊締して固定するもので、操作部１４を操作して骨折面、或いは関節面を離すものである。
【００１９】
特に脱臼骨折、脱臼などで、最終治癒位置にピンを固定することが困難な場合、即ちピンを完治位置よりもピンが鉛直方向にずれている位置で固定して治療を進行させなければならない場合に、保持本体２ａの表面に調整体４を、その嵌合凹凸部２５，４１を嵌合して正確な位置決めをして重ね合わせ、調整体４のピン挟持面にピン３を位置せしめ、押さえ体２ｂによる挟圧でピンを固定する。この際にピン位置は調整体４の厚みでピン鉛直方向の位置が定まることになるので、複数の厚みの異なる調整体４を予め用意しておき、最適厚の調整体４を使用する。そして治療の進行に伴って厚さの異なる調整体４に取り換えて、最終的に調整体４を使用せずに完治状態の骨の位置と対応させるようにするものである。
【００２０】
従って本創外固定具は、操作部１４の操作によるピンの水平方向位置調整ばかりではなく、調整体４の選択使用によることでピンの鉛直方向の位置調整も可能となったものである。
【符号の説明】
【００２１】
１ａ，１ｂ      添木体
１１    貫通軸孔
１２    固定螺子
１３    螺子棒
１４    操作部
２      保持部材
２ａ    保持本体
２ｂ    押さえ体
２ｃ    ネジ体
２１    脚部
２２    ピン挟持面
２３    螺孔
２４    側壁
２５    嵌合凹部
２６    嵌合凸部
２７    挟圧透孔
３      ピン
４，４ａ，４ｂ    調整体
４１    嵌合凸部
４２    ピン挟持面
４３    側壁
４４    嵌合凹部
４５    透孔
【図１】
0003204228.tif 000003
【図２】
0003204228.tif 000004
【図３】
0003204228.tif 000005
【手続補正書】
【提出日】平成28年3月11日(2016.3.11)
【手続補正１】
【補正対象書類名】実用新案登録請求の範囲
【補正対象項目名】全文
【補正方法】変更
【補正の内容】
【実用新案登録請求の範囲】
【請求項１】
骨に刺入したピンを保持する保持部材と、前記保持部材を所定位置に装着すると共に、指関節に対応して屈曲可能に連結した２個の添木体からなり、前記保持部材が凹状のピン挟持面を備えて添木体に装着される保持本体と、保持本体に被冠してピンをネジ挟圧する押さえ体とで構成される創外固定器において、保持本体と同一形状のピン挟持面を備えると共に、所定のネジ体用の透孔を設けた所望の厚さの調整体を、一方の保持部材の保持本体に積層して組み込んでなることを特徴とする創外固定器。
【請求項２】
保持本体のピン挟持面の両側壁に側壁頂面に嵌合凹部を設け、押さえ体下面及び調整体下面に、前記嵌合凹部と対応する嵌合凸部を設けてなる請求項１記載の創外固定器。
【手続補正２】
【補正対象書類名】明細書
【補正対象項目名】０００９
【補正方法】変更
【補正の内容】
【０００９】
本考案に係る創外固定器は、骨に刺入したピンを保持する保持部材と、前記保持部材を所定位置に装着すると共に、指関節に対応して屈曲可能に連結した２個の添木体からなり、前記保持部材が凹状のピン挟持面を備えて添木体に装着される保持本体と、保持本体に被冠してピンをネジ挟圧する押さえ体とで構成される創外固定器において、保持本体と同一形状のピン挟持面を備えると共に、所定のネジ体用透孔を設けた所望の厚さの調整体を、一方の保持部材の保持本体に積層して組み込んでなることを特徴とするものである。